(57)【要約】      （修正有）【課題】コヒーレントレーダーによる長・中・短パルス生成のシステムを提供する。【解決手段】コヒーレントレーダーシステム１は、少なくとも１個のパルス繰り返し周波数の幅が０．１マイクロ秒より小さい幅の異なる複数のパルス繰り返し周波数を提供するシステム時間制御ユニット１９と、該パルス繰り返し周波数の発生時に信号源ユニット１３に複数のパルス変調信号を生成するよう命令する制御ユニット１１とを含み、該制御ユニットと該信号源ユニットの信号源のリファレンスがいずれもベースバンド信号ユニット１７からのもので、該制御ユニットは並列手法で該信号源ユニットに該パルス変調信号の立ち上がり、書き込み及び立ち下がりの指令を実行するよう命令する。【選択図】図１
0003214395.tif 000002
【実用新案登録請求の範囲】
【請求項１】
少なくとも１個のパルス繰り返し周波数の幅が０．１マイクロ秒より小さい幅の異なる複数のパルス繰り返し周波数を提供するシステム時間制御ユニットと、前記パルス繰り返し周波数の発生時に信号源ユニットに複数のパルス変調信号を生成するよう命令する制御ユニットと、を含むコヒーレントレーダーによる長・中・短パルス生成のシステムにおいて、前記制御ユニットと前記信号源ユニットの信号源のリファレンスがいずれもベースバンド信号ユニットからのもで、前記制御ユニットは並列手法で前記信号源ユニットに前記パルス変調信号の立ち上がり、書き込み及び立ち下がりの指令を実行するよう命令することを特徴とするコヒーレントレーダーによる長・中・短パルス生成のシステム。
【請求項２】
前記信号源ユニットは、１回当たり５ナノ秒のパルス変調信号の立ち上がり、書き込み及び立ち下がりの指令を実行し、３回のデューティーサイクルを実行して命令を終え、前記信号源ユニットが生成する前記パルス変調信号の全時間を５０ナノ秒より短くさせることを特徴とする請求項１に記載のコヒーレントレーダーによる長・中・短パルス生成のシステム。
【請求項３】
幅の異なる複数の前記パルス繰り返し周波数は、第１パルス繰り返し周波数と第２パルス繰り返し周波数と第３パルス繰り返し周波数とを含み、前記第１パルス繰り返し周波数の長さが０．１マイクロ秒より小さく、前記第２パルス繰り返し周波数及び前記第３パルス繰り返し周波数の幅が前記第１パルス繰り返し周波数より大きいことを特徴とする請求項１に記載のコヒーレントレーダーによる長・中・短パルス生成のシステム。
【請求項４】
前記制御ユニットは、デジアナ変換器を含み、周波数出力期間において定刻に前記デジアナ変換器に対し校正を行い、電源変動及び温度等の環境要因による誤差変動を修正することを特徴とする請求項３に記載のコヒーレントレーダーによる長・中・短パルス生成のシステム。
【請求項５】
前記信号源ユニットは、第１直接デジタル周波数合成器と第２直接デジタル周波数合成器とを含み、前記第１直接デジタル周波数合成器及び前記第２直接デジタル周波数合成器が同源リファレンスベースバンド信号を採用し、前記第１直接デジタル周波数合成器が単一周波数の連続波信号を生成し、前記第２直接デジタル周波数合成器が連続波信号を周波数変調することを特徴とする請求項３に記載のコヒーレントレーダーによる長・中・短パルス生成のシステム。
【請求項６】
前記第１直接デジタル周波数合成器の信号出力タイミングは、前記第１パルス繰り返し周波数の発生時で、生成するパルス波が単一周波数の連続波であり、前記第２直接デジタル周波数合成器の信号出力タイミングが前記第２パルス繰り返し周波数及び前記第３パルス繰り返し周波数内のパルス波が周波数変調連続波信号とする時であることを特徴とする請求項５に記載のコヒーレントレーダーによる長・中・短パルス生成のシステム。
【請求項７】
前記周波数変調連続波信号は、先に上昇してから下降するものであることを特徴とする請求項６に記載のコヒーレントレーダーによる長・中・短パルス生成のシステム。
【請求項８】
前記周波数変調連続波信号は、先に下降してから上昇するものであることを特徴とする請求項７に記載のコヒーレントレーダーによる長・中・短パルス生成のシステム。
【請求項９】
前記周波数変調連続波信号は、単一のアップコンバージョンであることを特徴とする請求項７に記載のコヒーレントレーダーによる長・中・短パルス生成のシステム。
【請求項１０】
前記周波数変調連続波信号は、単一のダウンコンバージョンであることを特徴とする請求項７に記載のコヒーレントレーダーによる長・中・短パルス生成のシステム。
【考案の詳細な説明】
【技術分野】
【０００１】
本考案は、コヒーレントレーダーによるパルス生成のシステムに関し、特に、コヒーレントレーダーによる長・中・短パルス生成のシステムに関する。
【背景技術】
【０００２】
パルス圧縮レーダーシステムの目標検出可能な距離及び距離分解能は、パルス幅の制限を受け、パルス圧縮レーダーシステムのパルス幅変調が異なる応用され、送信側の信号源で長パルス信号を生成させると、比較的遠い距離のエコー信号を得ることができることで、遠距離検出目的を達成するが、近距離の分解能が劣り、近距離のブラインドエリアが過大になることに至る。短パルス信号の場合、長パルスと全く逆で、良好な近距離分解能の特性を持ち、かつブラインドエリアが比較的小さいが、欠陥は目標検出距離が悪いことである。レーダーシステムが要求するターゲットに達するため、長・短パルス変調技術の応用がある。概念は、目標距離によりパルスクロック、周波数及び変調方式を決定し、近距離目標が短パルス、単一周波数方式で送信され、遠距離目標の場合、全送信エネルギーが比較的大きな長パルス、周波数掃引モードで送信され、レーダーで信号を目標に送信すると共にエコーを受信し、次に信号処理プロセスを行い、アナログをデジタルに変換した後、長・短パルスの時間マッピングを選択して処理し、短パルスのエコー部分は近距離の解析用としてパルス圧縮を使用しないことで、長・短パルスの使用が遠距離検出目的を達成し、また近距離ブラインドエリアが過大になるという現象を減らす。
【０００３】
このような概念及び技術は、いずれも実行され済みであるが、やはり技術的な制限があり、次の通りとし、つまり（１）極めて狭いパルスを達成できない：短パルスのパルス幅は１００ナノ秒以下の狭いパルスに達することができず、距離分解能機能の向上についても限度がある。（２）掃引波方式が高性能要求を満たせず、かつ効率のアップも必要：従来の長パルスの掃引波は単一のアップコンバージョン又はダウンコンバージョン方式が用いられ、比較的効率がなくかつ距離分解能も向上できず、周波数出力方式も更に現在の周波数要求及びアーキテクチャを満たすことができず、例えばＸバンドレーダーシステムで、一回アップコンバージョン、ダウンコンバージョン送受信機アーキテクチャ（Ｘ−Ｂａｎｄ  Ｔ／Ｒ  Ｍｏｄｕｌｅ）である。（３）電子戦の干渉防止効果に限度がある：信号源周波数の切り替え速度が比較的遅く、レーダー制御では高速な周波数ホッピングに対応して外部電子戦の干渉を避けることができない。
【考案の概要】
【考案が解決しようとする課題】
【０００４】
そこで、本考案は上記のような従来技術の問題点に鑑みて、コヒーレントレーダーによる長・中・短パルス生成のシステムを提供することを目的とする。
【課題を解決するための手段】
【０００５】
上記目的を達成するため、本考案に係るコヒーレントレーダーによる長・中・短パルス生成のシステムは、少なくとも１個のパルス繰り返し周波数の幅が０．１マイクロ秒より小さい幅の異なる複数のパルス繰り返し周波数を提供するシステム時間制御ユニットと、該パルス繰り返し周波数の発生時に信号源ユニットに複数のパルス変調信号を生成するよう命令する制御ユニットとを含み、該制御ユニットと該信号源ユニットの信号源のリファレンスがいずれもベースバンド信号ユニットからのもで、該制御ユニットは並列手法で該信号源ユニットに該パルス変調信号の立ち上がり、書き込み及び立ち下がりの指令を実行するよう命令する。
【０００６】
本考案に係るコヒーレントレーダーによる長・中・短パルス生成のシステムの一実施例において、該信号源ユニットは、１回当たり５ナノ秒のパルス変調信号の立ち上がり、書き込み及び立ち下がりの指令を実行し、３回のデューティーサイクルを実行して命令を終え、該信号源ユニットが生成する該パルス変調信号の全時間を５０ナノ秒より短くさせる。
【０００７】
本考案に係るコヒーレントレーダーによる長・中・短パルス生成のシステムの一実施例において、幅の異なる複数の該パルス繰り返し周波数は、第１パルス繰り返し周波数と第２パルス繰り返し周波数と第３パルス繰り返し周波数とを含み、前記第１パルス繰り返し周波数の長さが０．１マイクロ秒より小さく、該第２パルス繰り返し周波数及び該第３パルス繰り返し周波数の幅が該第１パルス繰り返し周波数より大きい。
【０００８】
本考案に係るコヒーレントレーダーによる長・中・短パルス生成のシステムの一実施例にいて、該制御ユニットは、デジアナ変換器を含み、周波数出力期間において定刻に該デジアナ変換器に対し校正を行い、電源変動及び温度等の環境要因による誤差変動を修正する。
【０００９】
本考案に係るコヒーレントレーダーによる長・中・短パルス生成のシステムの一実施例において、該信号源ユニットは、第１直接デジタル周波数合成器と第２直接デジタル周波数合成器とを含み、該第１直接デジタル周波数合成器及び該第２直接デジタル周波数合成器が同源リファレンスベースバンド信号を採用し、該第１直接デジタル周波数合成器が単一周波数の連続波信号を生成し、該第２直接デジタル周波数合成器が連続波信号を周波数変調する。
【００１０】
本考案に係るコヒーレントレーダー産生長・中・短パルスのシステムの一実施例において、第１直接デジタル周波数合成器の信号出力タイミングは、第１パルス繰り返し周波数の発生時で、生成するパルス波が単一周波数の連続波であり、第２直接デジタル周波数合成器の信号出力タイミングが第２パルス繰り返し周波数及び該第３パルス繰り返し周波数内のパルス波が周波数変調連続波信号とする時である。
【００１１】
本考案に係るコヒーレントレーダーによる長・中・短パルス生成のシステムの一実施例において、該周波数変調連続波信号は、先に上昇してから下降するものである。
【００１２】
本考案に係るコヒーレントレーダーによる長・中・短パルス生成のシステムの一実施例において、該周波数変調連続波信号は、先に下降してから上昇するものである。
【００１３】
本考案に係るコヒーレントレーダーによる長・中・短パルス生成のシステムの一実施例において、該周波数変調連続波信号は、単一のアップコンバージョンである。
【００１４】
本考案に係るコヒーレントレーダーによる長・中・短パルス生成のシステムの一実施例において、該周波数変調連続波信号は、単一のダウンコンバージョンである。
【図面の簡単な説明】
【００１５】
【図１】図１  本考案に係るコヒーレントレーダーによる長・中・短パルス生成のシステムのシステム構成図である。
【図２】図２  本考案に係るコヒーレントレーダーによる長・中・短パルス生成のシステムが長・中・短パルス変調信号を生成した場合を示す模式図である。
【考案を実施するための形態】
【００１６】
本考案は、主にコヒーレントレーダーによる長・中・短パルス生成方法を提供し、コヒーレントレーダーシステム内においてパルス変調を介して異なる応用を行うことである。以下、本考案の各実施例を詳細に記載し、また添付図面を組み合わせて例示する。これら詳細な記載以外に、本考案は更にその他の実施例内に幅広く実施されることができ、記載するいかなる実施例の容易置換、修正、均等な変化は均しく本案の範囲内に含まれ、また後記の実用新案登録請求の範囲に準じる。明細書の記載において、読者に本考案を完全に理解させるため、多くの特定の詳細な説明を提供し；ただし、本考案はこれら特定の詳細な説明の一部又は全部を省略する可能性がある前提においてもやはり実施できる。また、本考案への不必要な制限が生じることを避けるため、世間一般に知れ渡っているステップ或いは要素は、詳細な説明内に記載していない。添付図面内に同一又は類似の要素は、同一或いは類似の符号で示す。ここで留意すべき点は、添付図面が概略的に示すために用いられるだけで、要素の実際の寸法若しくは数量を示すことはなく、添付図面の簡潔を図るため、非関係の詳細を完全に描かなかった。
【００１７】
コヒーレントレーダーシステム内において、遠距離検出目的を達成するため、長パルスを送信信号源として使用し、更にパルス圧縮技術でリアルなエコーを圧縮して積分し、信号源とコヒーレントするエコーが自然に高振幅で、これを介してクラッターと区別すると共にリアルな目標着陸点を表示することに有利になる。長パルスは、近距離の分解能が劣り、近距離のエコー表示がブランキングされるため、対応の長・短パルス設計が生じ、長パルスの出力メリットと短パルスの分解能メリットを結合する。本考案は長・中・短パルス設計を提出し、長パルスのブランキングが中パルス圧縮で解析し、また中パルスのブランキングが短パルスで解析し、このような設計はシステムの短、中、長の各距離に対する解析能力をアップし、検出距離も拡大でき、近、中距離でパルスの送信で生じるブランキングエリアも避けることができる。
【００１８】
一般的には、信号干渉と雑音揺らぎを避け、信号の純度及び安定性を維持するため、通常制御回路と信号源を分けて設計すると共に物理的に分離する。図１に示すように、本考案に係るコヒーレントレーダーシステム１は、本方法のハードウェア構造本体で、フィールドプログラマブルゲートアレイ１１１（Ｆｉｌｅｓ  Ｐｒｏｇｒａｍｍａｂｌｅ  Ｇａｔｅ  Ａｒｒａｙ、ＦＰＧＡ）及び第１と第２直接デジタル周波数合成器１３１、１３３からなる信号源ユニット１３（Ｄｉｒｅｃｔ  Ｄｉｇｉｔａｌ  Ｓｙｎｔｈｅｓｉｚｅｒ）を使用し、ベースバンド信号ユニット１７の発振周波数を同時にフィールドプログラマブルゲートアレイ１１１及び信号源ユニット１３の同期周波数とし、フィールドプログラマブルゲートアレイ１１１が実行命令を生成し、信号源ユニット１３が長短パルス周波数を出力してシステム変調用に供する。
【００１９】
ただし本考案は、上記欠陥を克服し、複合型回路基板のアーキテクチャを使用し、フィールドプログラマブルゲートアレイ１１１を主な設計とする制御ユニット１１と第１直接デジタル周波数合成器１３１と第２直接デジタル周波数合成器１３３とからなる信号源ユニット１３を１枚の回路基板板として統合する。まず、フィールドプログラマブルゲートアレイ１１１の作成は、ＶＨＤＬ  Ｃｏｄｅプログラムでコーディングし、フィールドプログラマブルゲートアレイ１１１内部の位相ロックループ１１３（ＰＬＬ、Ｐｈａｓｅ  Ｌｏｃｋ  Ｌｏｏｐ）シーケンスを生成し、並列手法により同時に第１直接デジタル周波数合成器１３１及び第２直接デジタル周波数合成器１３３を駆動し、起動後更に第１直接デジタル周波数合成器１３１及び第２直接デジタル周波数合成器１３３で生成した同期信号をシリアル化してフィールドプログラマブルゲートアレイ１１１内部の位相ロックループ１１３にフィードバックする。かつ制御ユニット１１及び信号源ユニット１３は、同源リファレンスベースバンド信号ユニット１７を使用し、制御ユニット１１内部の位相ロックループ１１３及び周波数逓倍のリファレンスは、いずれも同位相とし、第１直接デジタル周波数合成器１３１及び第２直接デジタル周波数合成器１３３が等距離の回路命令を受け、フロントエンド・バックエンドのパス延遅で生じる非同期現象は解消でき、該波形で発生する電気特性が安定でかつ一致し、従って同時にアップコンバージョンモジュール１５１にパルス信号の送信用として提供し、或いは同時にダウンコンバージョンモジュール１５３に復調リファレンス信号として提供する。また、システムのニーズに合わせ、第１直接デジタル周波数合成器１３１及び一第２直接デジタル周波数合成器１３３を比較的高い周波数までに周波数逓倍し、周波数逓倍数値を検証し、またニーズの異なる出力バンド向け設計し、比較的高い周波数の単一周波数或いは掃引周波数の出力を発生し、かつ良好な分解能を持ち、最適化の出力波形を得ることでレーダーシステムのアップコンバージョンモジュール１５１或いはダウンコンバージョンモジュール１５３に供給する。
【００２０】
前に述べたように、既存の信号源が極めて狭いパルスのニーズを満たすことができず、並びに周波数切り替え速度が高速な周波数ホッピングのニーズに対応できず、本考案は先ほどのシリアル化命令で制御レジスタに書き込む方式を変更し、単一のビットの逐次書き込みは比較的長いサイクル時間が必要で、命令並列化手法でレジスタに書き込むことに変更すると、１回で３２  Ｂｉｔｓの命令データを書き込むことができ、すなわち、本来の１／３２の時間のみで完成させることができる。現在フィールドプログラマブルゲートアレイ１１１の命令書き込み時間を１回当たり５ナノ秒に制御することに成功し、僅か３回のデューティーサイクルである約１５ナノ秒時間で命令の開始、書き込み及び終了を完成できると共に直接デジタル周波数合成器のレジスタに書き込むことができ、こうして非常に狭い連続波又は掃引波パルス（≦５０ナノ秒）が得られ、並びに極めて短い時間で短・中・長パルス切り替え周波数及び命令動作を完成させることで、システムのコーディング送信信号源の使用に提供される。また、本考案の中・長パルス掃引波形の設計概念は単一パルス掃引波内の先にアップコンバージョンしてからダウンコンバージョンの周波数掃引モードを用いることで、倍の距離解析及びドップラー周波数解析を向上できる。
【００２１】
回路基板は、干渉防止能力を持ち、信号の純度及び安定性を維持できる。フィールドプログラマブルゲートアレイ１１１プログラムは、自己校正の制御命令を完備し、周波数出力期間において定刻に直接デジタル周波数合成器内部のデジアナ変換器１１５を校正し、電源変動及び温度等の環境要因で生じる変動を修正し、外部変動要因による誤差を低減し、回路のフロントエンドの同期トリガー信号及び直接デジタル周波数合成器が生成する単一周波数の連続波及び掃引波パルスに良好なコヒーレント性及び比較的低い位相雑音を持たせる。
【００２２】
図１に示すように、本考案に係るコヒーレントレーダーシステム１は、主に制御ユニット１１と信号源ユニット１３とを含み、フィールドプログラマブルゲートアレイ１１１が内部位相ロックループ１１３を備え、ＶＨＤＬ  Ｃｏｄｅプログラムでコーディングした後、シーケンス命令を並列手法で信号源ユニット１３を駆動でき、信号源ユニット１３がシステム起動後で生成した同期信号（Ｓｉｇｎａｌ  ＣＬＫ、ＳＹＮＣ）をシリアル化してフィールドプログラマブルゲートアレイ１１の位相ロックループ１１３にフィードバックして信号源の精度を校正するために用いる。信号源ユニット１３は、第１直接デジタル周波数合成器１３１と第２直接デジタル周波数合成器１３３とからなり、本考案が第１直接デジタル周波数合成器１３１と第２直接デジタル周波数合成器１３３とを備え、単一周波数の連続波或いは線形変調波の出力に使用でき、従って同時にアップコンバージョンモジュール１５１にパルス信号の送信用として提供し、或いは同時にダウンコンバージョンモジュール１５３に復調リファレンス信号として提供する。
【００２３】
フィールドプログラマブルゲートアレイ１１１及び信号源ユニット１３は、同源リファレンスベースバンド信号ユニット１７を用いる。この手法は、フィールドプログラマブルゲートアレイ１１１内部の位相ロックループ１１３及び周波数逓倍信号源リファレンスをいずれも同位相にさせ、第１直接デジタル周波数合成器１３１及び第２直接デジタル周波数合成器１３３も等距離の回路命令を受けることで、非同期現象を解消できることで、安定な信号源を提供できる。ベースバンド信号ユニット１７も同時にシステム時間制御ユニット１９（通常バックエンドの信号処理ユニット）にクロックベースバンド（Ｔ０）として提供し、全システムのシーケンス計画及び各ユニットの命令制御は均しくこの時点に準じる。
【００２４】
フィールドプログラマブルゲートアレイ１１１プログラムは、同時に第１直接デジタル周波数合成器１３１及び第２直接デジタル周波数合成器１３３に命令し、かつ並列手法で書き込み（Ｗｒｉｔｅ）、長・短パルスや周波数変換信号及び初期位相の同時立ち上がり・立ち下がり確立を達成するため、フィールドプログラマブルゲートアレイ１１１の内部位相ロックループ１１３を書き込みクロックとして利用し、更にレジスタ命令を並列手法で第１直接デジタル周波数合成器１３１及び第２直接デジタル周波数合成器１３３に書き込むことができ、その周波数逓倍シーケンスが２００ＭＨｚに達し、３回のデューティーサイクルだけでレジスタにおいて長・短パルスの立ち上がり、書き込み及び立ち下がりの指令を実行でき、その後内部デジアナ変換器１１５にアップロードして変換すると、書き込み及び変換出力を完成させることができる。並列モードは、単一クロックを運用するため、３２ｂｉｔｓを書き込むことができ、すなわち、極めて短い時間（１０ナノ秒〜３０ナノ秒）にパルス周波数の立ち上がり又は立ち下がりを切り替えることができ、システム応用上において非常に柔軟性があり、５０ナノ秒の短パルスを生成できる。
【００２５】
図２に示すように、システム時間制御ユニット１９は、クロックベースバンド（Ｔ０）に準じ、次に全システムのシーケンス計画を行い、システムニーズに応じてパルス繰り返し周波数（ＰＲＦ）を配置し、各パルス立ち上がり、書き込み及び立ち下がりの時点の設定に用いる。パルス繰り返し周波数の幅は、パルス圧縮比及び目標距離に基づいて計画され、第１パルス繰り返し周波数１９１の幅が０．１マイクロ秒で、第２パルス繰り返し周波数１９３の幅が３．２マイクロ秒で、第３パルス繰り返し周波数１９５の幅が２５．６マイクロ秒で、第１段階の間隔時間が１１７．１マイクロ秒で、第２段階の間隔時間が２６８．４マイクロ秒で、第３段階の間隔時間が３８５．６マイクロ秒で、その後クロックベースバンド（Ｔ０）が終了するまで絶え間なく繰り返す。また、パルス繰り返し周波数内の信号波形は、３つの幅の異なるパルス波であり、そのた立ち上がり、書き込み及び立ち下がりの時間がパルス繰り返し周波数に基づき、異なる方式で前記パルスに対しコーディングする。第１パルス繰り返し周波数１９１内の短パルス波は、単一周波数の連続波信号で、第２パルス繰り返し周波数１９３内の中パルス波及び第３パルス繰り返し周波数１９５内の長パルス波が周波数変調された線形周波数変調のパルス変調であり、変調方式が均しく先に上昇してから下降し、このようなモード設計はバックエンドのデジタル処理演算速度及び距離に有利になる。この種の幅の異なるパルス設計は、長パルス波のブランキングが中パルス圧縮で解析し、中パルスのブランキングが短パルスで解析する。このような設計は、システムの短・中・長の各距離に対する解析能力をアップし、検出距離も拡大でき、近・中距離のパルス送信で生じるブランキングエリアも避けることができる。
【００２６】
レーダー設備は同じ振幅で送信し、幅の異なる３つのパルス（Ａ、Ｂ、Ｃ）を運用し、比較的短いパルスが近距離目標を探知させることができ、比較的長いパルスが遠距離目標を探知させることができる。
【００２７】
そのファームウェア動作フローの初期は、ハードウェア語言（ＶＨＤＬ）でＤＤＳ内のレジスタ初期値、例えば位相ロックループの周波数逓倍周波数、ＤＡＣ（デジアナ変換）校正のイネーブル、線形周波数の下限周波数、線形周波数の上限周波数、上昇及び下降の各次周波数、電圧制御周波数制御校正のイネーブル及び正弦波出力のイネーブル及び初期位相等の設定を書き込む。設定を完了した後、システムのシーケンスを短・中・長時間や周波数及び位相の切り替えとする。ステップは、次の通りとする。（１）ＩＯＵＰ＿ＤＡＴＡ１は、短パルスの立ち下がりを設定する。（２）ＩＯＵＰ＿ＤＡＴＡ２は、中パルス線形周波数や初期位相位及び立ち上がりを設定する。（３）ＩＯＵＰ＿ＤＡＴＡ３は、中パルスの立ち下がりを設定する。（４）ＩＯＵＰ＿ＤＡＴＡ４は、長パルス周波数及び初期位相の立ち上がりを設定する。（５）ＩＯＵＰ＿ＤＡＴＡ３は、長パルスの立ち下がりを設定する。（６）ＩＯＵＰ＿ＤＡＴＡ４は、短パルス周波数及び初期位相の立ち上がりを設定する。（７）１〜６のプロセスを繰り返す。
【符号の説明】
【００２８】
１  コヒーレントレーダーシステム
１１  制御ユニット
１１１  フィールドプログラマブルゲートアレイ
１１３  位相ロックループ
１１５  デジアナ変換器
１３  信号源ユニット
１３１  第１直接デジタル周波数合成器
１３３  第２直接デジタル周波数合成器
１５１  アップコンバージョンモジュール
１５３  ダウンコンバージョンモジュール
１７  ベースバンド信号ユニット
１９  システム時間制御ユニット
１９１  第１パルス繰り返し周波数
１９３  第２パルス繰り返し周波数
１９５  第３パルス繰り返し周波数
【図１】
0003214395.tif 000003
【図２】
0003214395.tif 000004